(57)【要約】【課題】本発明は、照明装置に上下複数の横隊に配置されるＬＥＤランプの前面に結合されたレンズのビーム照射範囲を角度ごとに可変調節し、地面の横断歩道の幅に関係なく同じ大きさの光源となるようにすることで横断歩道に均一な照度で照らされるようにその構造が改善された支柱取付け用照明装置に関する。【解決手段】本発明による支柱取付け用照明装置は、横断歩道の左右両側にそれぞれ立てられるように設けられる支柱と、前記支柱の上部に配置される照明灯ケースと、前記照明灯ケース内に配置される内部フレームと、前記内部フレームに上下複数の横隊に配置されるＬＥＤランプと、前記ＬＥＤランプの前面に着脱できるように結合されて前記複数の横隊のＬＥＤランプから照射されるビームの照射角度をそれぞれ調節するように複数の横隊のレンズ部が備えられたレンズから構成される。【選択図】図２
2018037404.tif 000002
【特許請求の範囲】
【請求項１】
横断歩道に立てられた支柱（２０）の上部に傾いた角度で配置される照明灯ケース（１２）；
前記照明灯ケース（１２）内に備えられる内部フレーム（１４）；
前記内部フレーム（１４）に上下複数の横隊に配置されるＬＥＤランプ（５０）；及び
前記ＬＥＤランプ（５０）の前面に着脱できるように結合され、前記複数の横隊に配置されたＬＥＤランプ（５０）から照射されるビームの照射角度が下部の横隊に配置される第３レンズ部（１３０）のビーム照射角度よりさらに小さく照射されるように中間横隊に配置される第２レンズ部（１２０）と、前記第２レンズ部（１２０）のビーム照射角度よりさらに小さく照射されるように上部の横隊に配置される第１レンズ部（１１０）から構成されるレンズ（１００）；を含み、
前記第１レンズ部（１１０）は下部の内側に前記ＬＥＤランプ（５０）を収容し、上面（１１２ａ）が平面に形成される第１収容溝（１１２）と、外周面のまわりが全反射曲率を持つように傾いた角度で屈曲するように形成されたまわり面（１１５）と、上部に前記ＬＥＤランプ（５０）から照射された光が集中されるように第１収容溝（１１２）と対称に配置され、下面１１４ａが平面に形成される上部溝（１１４）と、及び平面で形成される上部面（１１３）とから構成され、
前記第２レンズ部（１２０）は下部の内側に前記ＬＥＤランプ（５０）を収容して上面（１２２ａ）が下側にふくらんでいる形態の曲率を持つように形成される第２収容溝（１２２）と、外周面のまわりが全反射曲率を持つように傾いた角度で屈曲するように形成された屈曲面（１２５）と、及び上側にふくらんでいる形態で形成される上部面（１２３）とから構成され、
前記第３レンズ部（１３０）は、下部の内側に前記ＬＥＤランプ（５０）を収容して上面（１３２ａ）が下側にふくらんでいる形態の曲率を持つように形成される第３収容溝（１３２）と、外周面のまわりが全反射曲率を持つように傾いた角度で屈曲されるように形成された傾斜面（１３５）と、及び平面で形成される上部面（１３３）とから構成され、
前記第１、２、３のレンズ部（１１０、１２０、１３０）の各々は、横断歩道上に同じ大きさの光源（Ｗ１、Ｗ２、Ｗ３）で照射されるように構成されることを特徴とする、支柱取付け用照明装置。
【請求項２】
前記内部フレーム（１４）は、前記第１、２、３のレンズ部（１１０、１２０、１３０）が着脱できるように結合されるよう、複数の横隊ガイドレール（１４ａ）が形成されることを特徴とする、請求項１に記載の支柱取付け用照明装置。
【請求項３】
前記第１レンズ部（１１０）と第２レンズ部（１２０）は、第１連結部（１４０）によって一体に連結され、前記第２レンズ部（１２０）と第３レンズ部（１３０）は第２連結部（１５０）によって一体に連結されるように構成されることを特徴とする、請求項１に記載の支柱取付け用照明装置。
【請求項４】
前記第１レンズ部（１１０）のまわり面（１１５）に対する全反射曲率半径Ｒは３６．１〜３７．１ｍｍであることを特徴とする、請求項１に記載の支柱取付け用照明装置。
【請求項５】
前記第２レンズ部（１２０）の第２収容溝（１２２）の上面（１２２ａ）に対する曲率半径Ｒは２．３〜３．３ｍｍで、前記屈曲面（１２５）に対する全反射曲率半径Ｒは４３．５〜４４．５ｍｍで、前記上部面（１２３）に対する曲率半径Ｒは５９．０〜６０．０ｍｍであることを特徴とする、請求項１に記載の支柱取付け用照明装置。
【請求項６】
前記第３レンズ部（１３０）の第３収容溝（１３２）の上面（１３２ａ）に対する曲率半径Ｒは４．５〜５．５ｍｍで、前記傾斜面（１３５）に対する全反射曲率半径Ｒは１３５．８〜１３６．８ｍｍであることを特徴とする、請求項１に記載の支柱取付け用照明装置。
【発明の詳細な説明】
【技術分野】
【０００１】
本発明は、支柱取付け用照明装置に係り、特に支柱の上部に傾いた角度で配置される照明灯に上下複数列で配置されるＬＥＤランプレンズに対するビームの照射角度を、地面の横断歩道上に同じ大きさの光源となるようにすることで、横断歩道の幅に関係なく均一な照度で照らされるようにその構造が改善された支柱取付け用照明装置に関する。
【背景技術】
【０００２】
一般に、走行道路上には歩行者が安全に道路を横断できるように横断歩道が設置されていて、夜間には横断歩道があることを知らせるために注意信号灯をつけたり、横断歩道を照明して車の運転者に横断歩道があることを認識させることで、運転者の注意を喚起させて安全をはかっている。
【０００３】
最近、夜間に横断歩道を照明することで車の運転者に注意を喚起させる方法として様々な装置が開発されて特許出願されており、この中でも特許文献１には、横断歩道の周りに支柱を立て、この支柱に横断歩道と平行な方向に横棒を設置した後、この横棒上に複数の反射笠が備えられた照明灯を設けて横断歩道を照明しているが、美観上悪いだけでなく強風や台風などによって照明灯が破損したり脱着することがあるので歩行者に相当危険であり、また、反射笠が備えられて目が眩むことを防ぎ、照明方向を調節するようにしているが、根本的に照明灯が支柱の横棒上に設けられて、上から下方へ照明する形となっているため、照明灯の明りが運転者の視野を遮るようになり、運転者が周りの信号灯を認識できなかったり横断歩道上の人または物体を認識し難いことがあり、さらにメンテナンスの際に高価な装備が必要であり、さらに、補修作業時に走行道路の中央を塞いで交通の流れを邪魔する問題点があった。
【０００４】
既存の横断歩道用照明装置と係る別の先行技術は、特許文献２に開示されたように、複数のＬＥＤ（Ｌｉｇｈｔ Ｅｍｉｔｔｉｎｇ Ｄｉｏｄｅ）が所定の間隔に設けられる基板；バー（ｂａｒ）形状からなり、長手方向に沿って両端にガイド部が垂直に立てられ、ガイド部それぞれの内側に形成されたガイド溝を通じて基板を固定するフレーム；及び複数の反射笠が一列に連結されてなり、フレームのガイド部によって基板にＬＥＤが設けられた面に密着して固定される反射板；を含み、反射板を構成するそれぞれの反射笠は基板のＬＥＤが貫通するＬＥＤ溝が形成され、フレームの長手方向に沿って前、後、側方向にそれぞれ異なる反射勾配が形成されている。
【０００５】
また、前記従来の横断歩道照明装置は、横断歩道の大きさと幅に関係なく同じ種類のランプを使っているので、横断報道の幅が狭い場合は照明装置の発光量が必要以上に多くて電力損失が生じ、逆に横断歩道の幅が広い場合は照明装置の明りが及ばない問題点があり、またランプを固定した状態となっていることから横断歩道の大きさによって光の照射方向を現場の状況に応じて適切に調節できない問題点があった。
【０００６】
さらに、既存の横断歩道用照明装置は、支柱の上部に傾いた角度で配置される照明灯の各ＬＥＤランプの配置列角度によって横断歩道側に照らすビームの角度が変わり、複数列に配置されたＬＥＤランプから照射される光の強さが異なる照度を持つようになって横断歩道が示された地面に所々光が照らされない空間が生じるため夜間歩行中の歩行者をちゃんと識別することができず、交通事故が発生するなど事故の危険があった。
【先行技術文献】
【特許文献】
【０００７】
【特許文献１】韓国実用新案登録第２０−０２８９５４０号公報
【特許文献２】韓国登録特許第１０−１２７５５１４号公報
【発明の概要】
【発明が解決しようとする課題】
【０００８】
本発明は、前記諸問題点に鑑みてそれを解決するために案出されたもので、その目的は支柱取付け用照明装置に上下複数の横隊に配置されるＬＥＤランプの前面に結合されたレンズのビーム照射範囲を角度毎に可変調節して地面の横断歩道の幅に関係なく同じ大きさの光源となるようにすることにより、横断歩道に均一な照度で照らされるようにその構造が改善された支柱取付け用照明装置を提供することにある。
【課題を解決するための手段】
【０００９】
前記目的を果たすための本発明は、横断歩道に立てられた支柱の上部に傾いた角度で配置される照明灯ケースと；前記照明灯ケース内に備えられる内部フレームと；前記内部フレームに上下複数の横隊に配置されるＬＥＤランプ；及び前記ＬＥＤランプの前面に着脱できるように結合されて前記複数の横隊に配置されたＬＥＤランプから照射されるビームの照射角度が下部の横隊に配置される第３レンズ部のビーム照射角度よりさらに小さく照射されるように中間横隊に配置される第２レンズ部と、前記第２レンズ部のビーム照射角度よりさらに小さく照射されるように上部の横隊に配置される第１レンズ部から構成されたレンズ；を含み、前記第１レンズ部は下部の内側に前記ＬＥＤランプを収容して上面が平面に形成される第１収容溝と、外周面のまわりが全反射曲率を持つように傾いた角度で屈曲されるように形成されたまわり面と、上部にＬＥＤランプから照射された光が集中されるように第１収容溝に対称されて下面が平面に形成される上部溝及び平面で形成される上部面から構成され、前記第２レンズ部は下部の内側に前記ＬＥＤランプを収容して上面が下側にふくらんでいる形態の曲率を持つように形成される第２収容溝と、外周面のまわりが全反射曲率を持つように傾いた角度で屈曲されるように形成された屈曲面、及び上側にふくらんでいる形態で形成される上部面から構成され、前記第３レンズ部は下部の内側に前記ＬＥＤランプを収容して上面が下側にふくらんでいる形態の曲率を持つように形成される第３収容溝と、外周面のまわりが全反射曲率を持つように傾いた角度で屈曲されるように形成された傾斜面及び平面で形成される上部面から構成され、前記第１、２、３のレンズ部の各々は横断歩道上に同じ大きさの光源で照射されるように構成されることを特徴とする。
【００１０】
前記内部フレームは、前記第１、２、３のレンズ部が着脱できるように結合されるよう、複数の横隊ガイドレールが形成される。
【００１１】
前記第１レンズ部と第２レンズ部は、第１連結部によって一体に連結され、前記第２レンズ部と第３レンズ部は第２連結部によって一体に連結されるように構成される。
【００１２】
前記第１レンズ部のまわり面に対する全反射曲率半径Ｒは３６．１〜３７．１ｍｍであることを特徴とする。
【００１３】
前記第２レンズ部の第２収容溝の上面に対する曲率半径Ｒは２．３〜３．３ｍｍで、屈曲面に対する全反射曲率半径Ｒは４３．５〜４４．５ｍｍで、上部面に対する曲率半径Ｒは５９．０〜６０．０ｍｍであることを特徴とする。
【００１４】
前記第３レンズ部の第３収容溝の上面に対する曲率半径Ｒは４．５〜５．５ｍｍで、傾斜面に対する全反射曲率半径Ｒは１３５．８〜１３６．８ｍｍであることを特徴とする。
【発明の効果】
【００１５】
本発明は横断歩道側に照明を照らす照明装置の照明角度によって、ＬＥＤランプから発せられる光を可変集中させて横断歩道の幅に関係なく同じ大きさの光源で照明するようにすることで、均一な照度で横断歩道を照明できるようになって夜間にも歩行者及び車線の識別性を向上させられるメリットを持つ。
【図面の簡単な説明】
【００１６】
【図１】本発明による支柱取付け用照明装置の構成を示した構成図。
【図２】本発明の照明装置の正面図。
【図３】本発明のレンズの斜視図。
【図４】本発明の第１レンズ部の断面図。
【図５】本発明の第２レンズ部の断面図。
【図６】本発明の第３レンズ部の断面図。
【図７】本発明の第１、２、３のレンズ部の照射角を概略的に示した例示図。
【図８】本発明の第１、２、３のレンズ部の照射角を概略的に示した例示図。
【図９】本発明の第１、２、３のレンズ部の照射角を概略的に示した例示図。
【図１０】本発明の第１、２、３のレンズ部が複数の横隊に配置された状態を見せるレンズの変形実施例を示した正面図。
【図１１】既存ＬＥＤランプの照射角及び照明角度による光の明るさを示した図面。
【図１２】本発明のレンズの照射角及び照明角度による光の明るさを示した図面。
【図１３】本発明の照明装置の光源が横断歩道上に照射された状態を示した平面図。
【発明を実施するための形態】
【００１７】
本発明による支柱取付け用照明装置は、図１ないし図１３を参照して説明すると、横断歩道の左右両側にそれぞれ立てられるように設けられる支柱２０と、前記支柱２０の上部に配置される照明灯ケース１２と、前記照明灯ケース１２内に配置される内部フレーム１４と、前記内部フレーム１４に上下複数の横隊に配置されるＬＥＤランプ５０と、前記ＬＥＤランプ５０の前面に着脱できるように結合されて前記複数の横隊のＬＥＤランプ５０から照射されるビームの照射角度をそれぞれ調節できるように複数の横隊のレンズ部が備えられたレンズ１００から構成される。
【００１８】
図１を参照すれば、照明装置１０の照明灯ケース１２は、横断歩道の左右両側に立てられた支柱２０の上部に、地面の横断歩道に向って傾くように配置される。
【００１９】
図２を参照すれば、照明灯ケース１２の内部にＬＥＤランプ５０が複数の列に相互離隔するように配置された内部フレーム１４が備えられる。
【００２０】
前記内部フレーム１４は照明灯ケース１２の内に放熱フレームの形態で構成され、レンズ１００の第１、２、３のレンズ部１１０、１２０、１３０のフランジ１１１、１２１、１３１部位が着脱して結合されるようにガイドレール１４ａが形成される構造を持つ。
【００２１】
図３を参照すれば、レンズ１００は上部の横隊に配置されたＬＥＤランプ５０の前面に付着される第１レンズ部１１０と、前記第１レンズ部１１０の下側に配置されて第１連結部１４０を介して前記第１レンズ部１１０に一体に連結され、中間横隊に位置するＬＥＤランプ５０の前面に付着される第２レンズ部１２０と、前記第２レンズ部１２０の下側に配置されて第２連結部１５０を介して前記第２レンズ部１２０に一体に連結され、下部の横隊に位置するＬＥＤランプ５０の前面に付着される第３レンズ部１３０から構成される。
【００２２】
第１連結部１４０は第１、２のレンズ部１１０、１２０を一体に連結させ、第２連結部１５０は第２、３のレンズ部１２０、１３０を一体に連結させる。
【００２３】
前記第１レンズ部１１０は、図４に図示されたように、下部の内側に前記ＬＥＤランプ５０を収容し、上面１１２ａが平面に形成される第１収容溝１１２が形成され、外周面のまわりが全反射曲率を持つように傾いた角度で屈曲したまわり面１１５が形成され、上部にＬＥＤランプ５０から照射された光が集中されるように第１収容溝１１２に対称され、下面１１４ａが平面に形成される上部溝１１４が形成され、上部面１１３が平たい平面形態から形成された構造を持つ。
【００２４】
また、前記第２レンズ部１２０は、図５に図示されたように、下部の内側に前記ＬＥＤランプ５０が収容されるように第２収容溝１２２が形成され、前記第２収容溝１２２の上面１２２ａが下側にふくらんでいる形態の曲率を持つように形成され、外周面のまわりが全反射曲率を持つように傾いた角度で屈曲されるように形成された屈曲面１２５が形成され、上部面１２３が上側にふくらんでいる形態で形成される構造を持つ。
【００２５】
そして、前記第３レンズ部１３０は、図６に図示されたように、下部の内側に前記ＬＥＤランプ５０が収容されるように第３収容溝１３２が形成され、前記第３収容溝１３２の上面１３２ａが下側にふくらんでいる形態の曲率を持つように形成され、外周面のまわりが全反射曲率を持つように傾いた角度で屈曲されるように形成された傾斜面１３５が形成され、上部面１３３が平たい平面形態で形成された構造を持つ。
【００２６】
これにより、第１レンズ部１１０は、第２、３のレンズ部１２０、１３０に比べて地面の横断歩道側に照らされるビームの照射距離が最も離れた照射距離を持つように内部フレーム１４の上部に配置され、ＬＥＤランプ５０から照射されるビームの角度を第２、３のレンズ部１２０、１３０から照射されたビームの照射角度よりさらに集中させるようにＬＥＤランプ５０から発生する光を前面側に集中させる構造となっている。
【００２７】
すなわち、第１レンズ部１１０は、第１収容溝１１２に収容されたＬＥＤランプ５０から照射された光が第２、３のレンズ部１２０、１３０から照射されたビームの照射角度よりさらに集中させることで、第２、３のレンズ部１２０、１３０から照射された光源と同じ大きさの光源を持つビームを横断歩道の地面上に照射することができる。
【００２８】
また、第２レンズ部１２０は第２収容溝１２２に収容されたＬＥＤランプ５０から照射された光が第３レンズ部１３０から照射されたビームの照射角度よりさらに集中させることで、第３レンズ部１３０から照射された光源の大きさと同じ光源を横断歩道側に照射し、横断歩道に照射される光源が同じ大きさで照射されるようにする。
【００２９】
例えば、横断歩道が示された地面に対して第１レンズ部１１０を通じて照射された光の照射角度が１０゜である場合、第２、３のレンズ部１２０、１３０を通じて照射された光の照射角度が２０〜４０゜を維持する。
【００３０】
このために、第１レンズ部１１０は下部にＬＥＤランプ５０が収容される第１収容溝１１２が形成され、上部に第１収容溝１１２と対称される上部溝１１４が垂直に上下対称する構造で形成されて、下部のまわりにまわり面１１５が傾いた角度で屈曲されるように形成された構造を持つ。
【００３１】
第１レンズ部１１０のまわり面１１５の全反射曲率半径Ｒ（単位：ｍｍ）は、３６．１〜３７．１の値を持つ。
【００３２】
このとき、第１レンズ部１１０のまわり面１１５の全反射曲率半径Ｒが３６．１未満の場合は、曲率が小くなるにつれ反射角度が小さくなるため出射角度が狭くなり、曲率値が小くなると一定距離を経て全反射された光が交差されるので最終出射角度がむしろ広くなり、配光形状がつぶされる短所がある。
【００３３】
また、第１レンズ部１１０のまわり面１１５の全反射曲率半径Ｒが３７．１を超過する場合は、曲率が大きくなることにつれ反射角度がとても広くなって出射角度が広くなり、最終出射面の配光形状がつぶされる短所がある。
【００３４】
第１、２、３のレンズ部１１０、１２０、１３０は、上部より下部の外径幅が狭い構造から形成されるように、下部のまわりにまわり面１１５と屈曲面１２５及び傾斜面１３５が形成された構造を持つ。
【００３５】
図７を参照すれば、第１収容溝１１２に収容されたＬＥＤランプ５０から、中央の第１収容溝１１２と上部溝１１４を経て中央へ垂直に直線形態で光が照射されると同時に、まわり面１１５に照射された光が前面に反射されて光が集中され、横断歩道側に照射される。
第２、３のレンズ部１２０、１３０は、図８及び図９に図示されたように、第１レンズ部１１０に比べて光が分散されるが、レンズ１００なしにＬＥＤランプ５０だけで発光されるよりは光が集中して横断歩道側に照射される。
【００３６】
前記第２レンズ部１２０は、第２収容溝１２２の上面１２２ａがふくらんでいる形態で曲率するように形成され、第２収容溝１２２内でＬＥＤランプ５０が発光することで、第２収容溝１２２内で前面側に光が集中して照射され、下部の屈曲面１２５に光がぶつかって反射され前面側に照射される。
【００３７】
前記第２収容溝１２２の上面１２２ａの曲率半径Ｒ（曲率中心）は、２．３〜３．３の値（単位；ｍｍ）を持ち、屈曲面１２５を通じて全反射される曲率半径Ｒは４３．５〜４４．５の値を持ち、上部面１２３の曲率半径Ｒは５９．０〜６０．０の値を持つ。
【００３８】
前記上部面１２３の曲率は、各曲率中心と屈曲面１２５の曲率のように光源の照明角度を考慮した値なので、平たい平面状に構成することもできるが、円形の光源形態を保つためにふくらんでいる形態に形成されることが望ましい。
【００３９】
第２収容溝１２２の上面１２２ａの曲率半径Ｒ（曲率中心）は相対的に凸レンズの役割をするので、２．３未満の時は出射される角度が小くなり、一定距離を経て交差するので上部面曲率への出射角度がむしろ大きくなることで、配光形成がつぶされる短所がある。
【００４０】
一方、第２収容溝１２２の上面１２２ａの曲率半径Ｒ（曲率中心）が３．３を超過する場合は相対的に曲率が緩くなるので、曲率中心を通じて上部面への角度が集中されず、広くなりすぎる短所がある。
【００４１】
第２レンズ部１２０の屈曲面１２５を通じて全反射される曲率半径Ｒが４３．５未満の場合、曲率が小くなることにつれ、反射角度が小さくなって出射角度が狭くなる現象が起こり、曲率が小くなりすぎて反射された光が一定距離を経て交差するので、最終出射角度がむしろ大きくなって配光形状がつぶされる短所がある。
【００４２】
また、第２レンズ部１２０の屈曲面１２５を通じて全反射される曲率半径Ｒが４４．５超過の場合は、曲率が大きくなって反射角度が大きくなり、それによって出射角度が広くなるので、最終出射面に照らされる配光形状が潰されるおそれがある。
【００４３】
第２レンズ部１２０の上部面１２３の曲率は、曲率中心及び屈曲面１２５を通じて来る光が最終的に出射されるときに影響を与える曲率半径Ｒとして、５９．０未満の場合は全般的に出射角が小さくなるし、酷くは交差点が生じて、むしろ大きくなるので配光形状が潰されるおそれがあることに対し、Ｒが６０．０超過の場合は最終的に出射される角が大きくなって配光形状がつぶされるおそれがある。
【００４４】
また、第３レンズ部１３０は、第３収容溝１３２の上面１３２ａの曲率半径Ｒ（曲率中心）が４．５〜５．５の値を持ち、傾斜面１３５の全反射曲率半径Ｒが１３５．８〜１３６．８の値を持つ。
【００４５】
第３レンズ部１３０は、第３収容溝１３２の上面１３２ａの曲率半径Ｒ（曲率中心）が４．５未満の場合、曲率中心によって出射される角度が小く、ひどい場合には出射される光が一定距離を経て交差するので、上部面への光の出射角度がむしろ大きくなることで配光形状がつぶされるおそれがある一方、Ｒが５．５を超過する場合には相対的に曲率が緩くなるので、曲率中心を通じて上部面への光の角度が大きくなりすぎる短所がある。
【００４６】
第３レンズ部１３０の傾斜面１３５の全反射曲率半径Ｒが１３５．８未満の場合は、曲率が小くなることにつれ、反射角度が小さくなって出射角度が狭くなる現象が起こるようになり、一定距離によって左右両側から反射された光が互いに交差しながら最終出射角度がむしろ大きくなりすぎて配光形状が潰されるおそれがある。
【００４７】
一方、第３レンズ部１３０の傾斜面１３５の全反射曲率半径Ｒが１３６．８超過の場合は、曲率が大きくなって反射角度が広くなるし、出射角度が非常に大きくなることによって配光形状がつぶされるおそれがある。
【００４８】
前記第２、３のレンズ部１２０、１３０の曲率中心と下部の全反射曲率Ｒは、値が小くなるほど光が集中し、Ｒの値が大きくなるほど光が分散するので、各々の曲率が相互係る構造的特性を持つようになり、図１２に図示されたように、地面の横断歩道側に照射される光源の形態を維持しながら最高の明るさの５０％になる区間の角度範囲である光の照明角度が図１１の既存ＬＥＤランプ５０単独で照射される方物線より相対的に狭い区間の方物線状を保つようになる。
【００４９】
また、図１３に図示されたように、横断歩道上に第１、２、３のレンズ部１１０、１２０、１３０から照射された同じ大きさの光源が照らされることによって、均一な照度の光が横断歩道側に照射される。
【００５０】
一方、複数の横隊に配置される第１、２、３のレンズ部１１０、１２０、１３０は、それぞれ一つずつではなく、複数の横隊に配置されることができる。
【００５１】
つまり、３列横隊に配置されることではなく、第１、２、３のレンズ部１１０、１２０、１３０がそれぞれ複数列の横隊に配置されることもできる。
【００５２】
これにより、本発明のレンズ１００は、上部の横隊に配置されたＬＥＤランプ５０のビームの照射角度が下部の横隊に配置されたＬＥＤランプ５０のビームの照射角度よりさらに小さく照射されるよう、下部の横隊から上部の横隊のレンズ部に行くほどビームの照射範囲を集中させる。
【００５３】
したがって、本発明は横断歩道側に照明を照らす照明装置１０の照明角度によってＬＥＤランプ５０から発生される光の照射角度を可変集中させ、横断歩道の幅に関係なく同じ大きさの光源で照明させることで、均一な照度で横断歩道を照明することができるので、夜間に歩行者及び車線への識別性を向上することができる利点を持つ。
【００５４】
本発明の実施例は横断歩道を照らす照明装置に対して適用したが、これに限定されず、支柱を設け、その支柱に照明を装着して照らす全ての照明装置に適用することができることは勿論である。
【符号の説明】
【００５５】
１０：照明装置   
１２：照明灯ケース
１４：内部フレーム
１４ａ：ガイドレール
２０：支柱
５０：ＬＥＤランプ
１００：レンズ 
１１０：第１レンズ部
１１２：第１収容溝 
１１４：上部溝
１１５：まわり面 
１２０：第２レンズ部
１２２：第２収容溝 
１２２ａ：（第２収容溝）の上面
１２３：上部面 
１２５：屈曲面
１３０：第３レンズ部 
１３２：第３収容溝
１３２ａ：（第３収容溝）の上面 
１３５：傾斜面
１４０：第１連結部 
１５０：第２連結部
【図１】
2018037404.tif 000003
【図２】
2018037404.tif 000004
【図３】
2018037404.tif 000005
【図４】
2018037404.tif 000006
【図５】
2018037404.tif 000007
【図６】
2018037404.tif 000008
【図７】
2018037404.tif 000009
【図８】
2018037404.tif 000010
【図９】
2018037404.tif 000011
【図１０】
2018037404.tif 000012
【図１１】
2018037404.tif 000013
【図１２】
2018037404.tif 000014
【図１３】
2018037404.tif 000015